(57)【要約】【課題】  鍵孔が開口する外部空間からの合鍵の回動操作のみによって鍵違い変換が容易にできる可変レバータンブラー錠を提供する。【解決手段】  レバータンブラー錠の各レバータンブラーを、略Ｃ字形で相互に重合するタンブラーＡ１ＡとタンブラーＢ１Ｂとを組合わせたものとする一方、支軸２をその両端に突設した偏芯軸の軸線回りを回動できるように支承し、タンブラーＡ１Ａの自由端部内側縁部のタンブラーＢ１Ｂと対向する側に係合突起９を、また、タンブラーＢ１Ｂの内側縁部にはタンブラーＡ１Ａの係合突起９と係合可能な係合凹部１１の複数を夫々形成し、一方、鍵違い変換時支軸２を押し下げ、係合突起９と係合凹部１１との係合を解くようにしたものにおいて、鍵違い変換時、誘導溝４２と支軸２に垂設された作動アームの先端のガイドピン３７とを係合させ、内筒の回動によって支軸２を回動させる。【選択図】  図２５
2006118173.tif 000002
【特許請求の範囲】
【請求項１】
レバータンブラー錠の各レバータンブラーを、略Ｃ字形で相互に重合するタンブラーＡとタンブラーＢとを組合わせたものとする一方、支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、上記レバータンブラーの複数を鍵孔軸線方向に連設した内筒の最内端の仕切板を第１連結板と、内筒の内端に連結され、内筒の回動を錠止部材に伝達するフランジ付きのジョイントのフランジ部を第２連結板として夫々指定し、これら第１及び第２連結板を相互に対向させた状態で同軸かつ相対回動可能に係合させ、一方、第１及び第２連結板の相互に対向する接合部外周縁に接合部に跨がるようにプラグ収納凹部を形成し、このプラグ収納凹部に外方に付勢された連結プラグを鍵孔軸線方向に摺動可能に収納した連結装置と、鍵孔軸線方向に延在する棒状体で、外筒内周面にその母線方向に形成された第１案内溝に長さ方向に移動可能に案内されたると共に、常態において、外端を内筒のキーガイド外面に露呈させ、内端を上記連結プラグに当接可能に臨ませたスイッチバーと、合鍵の摘み付近に着脱可能に装着される環状体で、合鍵が鍵孔に挿入されたときスイッチバーと整合する突起を有すると共に、この突起を合鍵の本体部の回りを遊動できるように案内した解除装置と、上記第１連結板を貫通して第２連結板側に突出した支軸の内端に垂設され、先端に第２連結板側に突出するガイドピンを植設した作動アームと、第２連結板の外面においてガイドピンと干渉しないように形成された円弧の一部をなす第２案内溝、及びこの第２案内溝の先端に連設され、ガイドピンを鍵孔中心軸線方向に誘導する第３案内溝を連設した誘導溝と、鍵孔中心軸線に関しカム溝と対称的な角度位置における外筒内周面にその母線に沿って形成された作動溝とを有し、解除装置を装着した合鍵を鍵孔に挿入することにより、その突起によりスイッチバーを内方に移動させ、その内端により連結プラグを第２連結板方向に押動して第１及び第２連結板の結合を解き、第１連結板を第２連結板とは独立に回動させるようにし、以てガイドピンを誘導溝内で誘導し、更に合鍵を解錠方向に回すことにより、ロッキングバーを作動溝内に落すと共に、支軸をその偏芯軸の回りで回動させ、タンブラーＡの係合突起とタンブラーＢの係合凹部との係合を解くようにしたことを特徴とする可変レバータンブラー錠。
【発明の詳細な説明】
【技術分野】
【０００１】
この発明は、可変レバータンブラー錠に係り、特に、鍵違いの変換操作を簡単にし、シリンダを取り外さなくても鍵違いを変換することができる可変レバータンブラー錠に関する。
【背景技術】
【０００２】
本出願人は、先に、後記特許文献１〜５を以て、新規な可変レバータンブラー錠を提案した。
【０００３】
これらの可変レバータンブラー錠は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、他方、支軸を外方に付勢する一方、内筒の内端部に、内筒の半径方向に移動可能で、外部から操作可能なスイッチ部材を支軸の外側からこれに当接可能に設けたものである。
【０００４】
そして、この発明を理解するためには、上記可変レバータンブラー錠の構造を理解する必要があるが、その構造は上記各特許文献に記載されているので、ここでは簡単に説明する。
【０００５】
図１において符号１はレバータンブラーを示し、このレバータンブラー１を、略Ｃ字形で相互に重合するタンブラーＡ１ＡとタンブラーＢ１Ｂとを組合わせたものとする一方、図で上方に付勢された支軸２をその両端に突設した偏芯軸３（図２参照）の軸線回りを回動できるように支承する。
【０００６】
なお、図１においてタンブラーＢ１Ｂにハッチングを施したのはタンブラーＡ１Ａと紛れないようにしただけであって、実際にハッチングが施されているわけではない。図１においてはタンブラーＢ１Ｂが手前側に、タンブラーＡ１Ａはその裏側に配置されている。
【０００７】
また、図１に示すタンブラーＡ１ＡのＣ字形はその開口端が相互に接続されているが、これはタンブラーの剛性を高めるためであって、このようにＣ字形の開口端を接続したものもＣ字形の概念に含めるものとする。
【０００８】
一方、一端を縦長の逃げ孔４を介して支軸２に遊嵌させたタンブラーＡ１Ａには、合鍵５の鍵溝６との係合部７を形成すると共に、これを合鍵５と干渉する方向、図１では反時計方向に付勢し、また、一端を支軸に回動自在に嵌合させたタンブラーＢ１Ｂの自由端部外側端縁に解錠切欠８を形成すると共に、タンブラーＡ１Ａの合鍵側端縁との係合部７と重合する部分を合鍵と干渉しないように成形する。
【０００９】
他方、タンブラーＡ１Ａの自由端部内側縁部のタンブラーＢ１Ｂと対向する側に係合突起９を、また、タンブラーＢ１Ｂの内側縁部には支軸２を中心とする円弧上にタンブラーＡの係合突起９と係合可能な係合凹部１１の複数を夫々形成すると共に、係合凹部１１の形成角度位置を、合鍵５の側端縁に形成された複数種類の深さの鍵溝６にタンブラーＡの係合部が夫々係合したとき、その係合突起と整合するように設定する。
【００１０】
図１は一の合鍵を鍵孔に差込んだ状態を示し、したがって解錠切欠８がロッキングバー１２と角度的に整合している。
【００１１】
この状態で、図２及び図３に示すように、シリンダの内端側から変換ピン１３を挿入して、スイッチ部材１４及び支軸２の内端に嵌装されたスペーサリング１５を介して支軸２に矢印方向、すなわち下向きの力を印加すると、支軸２は偏芯軸３の中心軸ｃの回りを反時計方向に回動する。
【００１２】
なお、図１はタンブラー１をシリンダの内端側から見ているので、図１においては、支軸２は上記中心軸ｃの回りを時計方向に回動する。
【００１３】
その結果、支軸２はタンブラーＡ１Ａの一端に形成された前記縦長の逃げ孔４を遊嵌するので、タンブラーＡを図１の位置に残した状態でタンブラーＢ１１Ｂのみを下降させる（図示せず）。
【００１４】
図１から明らかなように、解錠切欠８とロッキングバー１２とは角度的に整合しているから、上記タンブラーＢ１Ｂの下降は可能であり、タンブラーＡ１Ａの係合突起９は係合凹部１１から抜き外される。
【００１５】
この状態では一の合鍵を抜くことができるので、一の合鍵を鍵孔から抜くと、タンブラーＡ１Ａはその付勢力により図１で反時計方向に回動するが（図示せず）、他の新たな合鍵を挿入することにより、タンブラーＡ１Ａは図１とは異なる新たな角度位置に迄回動する。
【００１６】
この状態で前記変換ピン１３（図３参照）を抜いて支軸２を元の位置に戻すと、タンブラーＢ１Ｂも連れ動いて図１に示す位置に戻り、このとき係合突起は新たな係合凹部と係合するに致り、タンブラーＡ１ＡとタンブラーＢ１Ｂとの係合の態様が前とは異なり、したがって鍵違いを変更することができるのである。
【特許文献１】特願２００１−３７９２６８
【特許文献２】特願２００２−０１４２７４
【特許文献３】特願２００２−１１３８６８
【特許文献４】特願２００２−１１９７８１
【特許文献５】特願２００２−１３１５６８
【特許文献６】特願２００３−３６９０００
【特許文献７】特願２００４−０４９７７９
【特許文献８】特願２００４−０５９１３４
【特許文献９】特願２００４−０６７６４５
【特許文献１０】特願２００４−０７７０７７
【発明の開示】
【発明が解決しようとする課題】
【００１７】
上記した構造の可変レバータンブラー錠は、図４に示すように、外筒１６の基部に膨出部１７を突出形成し、この膨出部１７内にスイッチ部材１４を例えば図４で上下方向に案内できる案内洞１８を設けている。
【００１８】
なお、図４で外筒の下方に形成された膨出部は、デザイン上必要なので設けられた膨出部で、可変レバータンブラー錠の必須の構成要素ではない。
【００１９】
しかしながら、外筒に形成された膨出部は、その存在故に可変レバータンブラー錠の構造を複雑にするし、また、外筒の加工が面倒になり、加えて、デザイン上不利である、等種々の不都合の原因となっている。
【００２０】
そこで、本出願人は先に、上記特許文献６乃至特許文献１０を以て、鍵違い変換機構を合理的に変更し、外筒に膨出部を形成しなくても済む可変レバータンブラー錠を提案した。
【００２１】
しかしながら、上記特許文献６乃至１０に記載された発明は、シリンダを装着箇所から取り外して鍵違い変換操作を行わなければならず、変換作業の効率の点から未だ改良の余地があった。
【００２２】
そこで、この発明は、上記特許文献６乃至１０によって提案された発明を更に改良し、シリンダを装着箇所から取り外さなくても鍵違い変換操作を行うことができる可変レバータンブラー錠を提供し、以て鍵違い変換作業の能率を更に向上させることを目的としている。
【課題を解決するための手段】
【００２３】
上記の目的を達成するため、この発明は、レバータンブラー錠の各レバータンブラーを、略Ｃ字形で相互に重合するタンブラーＡとタンブラーＢとを組合わせたものとする一方、中心軸線が外方に向かうように付勢された支軸を、その両端に突設した偏芯軸の軸線回りを回動できるように支承し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定したものにおいて、上記レバータンブラーの複数を鍵孔軸線方向に連設した内筒の最内端の仕切板を第１連結板と、内筒の内端に連結され、内筒の回動を錠止部材に伝達するフランジ付きのジョイントのフランジ部を第２連結板として夫々指定し、これら第１及び第２連結板を相互に対向させた状態で同軸かつ相対回動可能に係合させ、一方、第１及び第２連結板の相互に対向する接合部外周縁に接合部に跨がるようにプラグ収納凹部を形成し、このプラグ収納凹部に外方に付勢された連結プラグを鍵孔軸線方向に摺動可能に収納した連結装置と、鍵孔軸線方向に延在する棒状体で、外筒内周面にその母線方向に形成された第１案内溝に長さ方向に移動可能に案内されると共に、常態において、外端を内筒のキーガイド外面に露呈させ、内端を上記連結プラグに当接可能に臨ませたスイッチバーと、合鍵の摘み付近に着脱可能に装着される環状体で、合鍵が鍵孔に挿入されたときスイッチバーと整合する突起を有すると共に、この突起を合鍵の本体部の回りを遊動できるように案内した解除装置と、上記第１連結板を貫通して第２連結板側に突出した支軸の内端に垂設され、先端に第２連結板側に突出するガイドピンを植設した作動アームと、第２連結板の外面においてガイドピンと干渉しないように形成された円弧の一部をなす第２案内溝、及びこの第２案内溝の先端に連設され、ガイドピンを鍵孔中心軸線方向に誘導する第３案内溝を連設した誘導溝と、鍵孔中心軸線に関しカム溝と対称的な角度位置における外筒内周面にその母線に沿って形成された作動溝とを有し、解除装置を装着した合鍵を鍵孔に挿入することにより、その突起によりスイッチバーを内方に移動させ、その内端により連結プラグを第２連結板方向に押動して第１及び第２連結板の結合を解き、第１連結板を第２連結板とは独立に回動させるようにし、以てガイドピンを誘導溝内で誘導し、更に合鍵を解錠方向に回すことにより、ロッキングバーを作動溝内に落すと共に、支軸をその偏芯軸の回りで回動させ、タンブラーＡの係合突起とタンブラーＢの係合凹部との係合を解くようにしたことを特徴とする。
【発明の効果】
【００２４】
上記のように構成されたこの発明による可変レバータンブラー錠は、通常の使用状態では第１及び第２連結板は連結プラグによって回動方向において拘束されるから、ガイドピンと誘導溝との間の相対回動は無く、したがってタンブラーＡとタンブラーＢとは一体かつ所定の角度間隔で固定される。
【００２５】
そのため、鍵違いは固定され、この鍵違いに対応する合鍵により施解錠操作を支障無く行うことができる。
【００２６】
鍵違いを変更するときには、解除装置を装着した合鍵を鍵孔に挿入することにより第１及び第２連結板の結合を解くから、第１及び第２連結板の相対回動が生じ、この相対回動に伴って誘導溝による支軸のガイドピンの回動制御が始り、合鍵の更なる回動によって支軸を偏芯軸の回りで回動させると共に、ロッキングバーを作動溝内に落としてタンブラーＡ、Ｂの係合を解き、次にそれまでの合鍵を抜いて新たな合鍵を差込み、内筒を逆方向に回動させることによりタンブラーＡ、Ｂを新たな角度位置関係に係合させることができる。
【００２７】
したがって、シリンダを装着箇所から取り外すことなく、或いはウイングの係止を解いてレバータンブラー錠の裏側を露出させることなく、鍵孔が露出する外面側からのみの操作によりレバータンブラー錠の鍵違いの変換を行うことができ、鍵違いの変換作業の能率を著しく向上させ得る、という効果を奏する。
【００２８】
また、誘導溝とガイドピンとの係合が所謂確動カムを形成するから、支軸の偏芯軸回りの回動、ひいてはタンブラーＡ、Ｂの切り離し及び再係合が確実に行われる、という効果も奏する。
【発明を実施するための最良の形態】
【００２９】
従来の可変レバータンブラー錠に簡単な機構で連結装置と支軸のガイドピンを制御する誘導溝を付加したから、鍵孔が露出する外面側からのみの操作によりレバータンブラー錠の鍵違い変換を行うことができるようにし、また、鍵違い変換作業を極めて容易にした。
【実施例１】
【００３０】
以下、この発明の実施例を図５乃至図２６を参照して説明する。
図５において符号１９はレバータンブラー錠の最内端の仕切板としての第１連結板を、符号２２はジョイントのフランジ部としての第２連結板を夫々示す。
【００３１】
上記第１連結板２１は、図６及び図８に示すように、外形が円に内接する略円形で、図６に示すように、その外面中央部には鍵孔２３の内端をなす有底の凹陥部が形成されている。
【００３２】
一方、図９乃至図１１に示すように、図示の実施例では上記ジョイント２１はフランジ付短筒体として成形されており、そのフランジが第２連結板２２として指定されていることは上記した通りである。
【００３３】
上記第２連結板２２の外面、すなわち、内筒のキーガイド２４（図５参照）側の面には円形の凹陥部が形成されており、この付番しない凹陥部は上記第１９と同軸、かつ回動可能に嵌合している。
【００３４】
したがって、第１及び第２連結板１９、２２は、相互に対向面を接合させた状態で、同軸かつ回動可能に係合することになる。
【００３５】
一方、図６、図８、図９及び図１１に示すように、第１及び第２連結板１９、２２の相互に対向する外周縁部で、キーガイド２４から見て、かつ時計盤面に換算して１０時半の角度位置に、接合面に跨がるようにして、Ｕ字形のプラグ収納凹部２５、２５が形成されている。
【００３６】
このプラグ収納凹部２５内に、図１２に示すように、連結プラグ２６が鍵孔軸線方向（紙面方向）に摺動可能に嵌め込まれている。
【００３７】
この連結プラグ２６は、図１３及び図１４に示すように、連結板方向への投影形状が略Ｕ字形で、その第２連結板側にばね孔２７が開口している。
【００３８】
そして、このばね孔２７内に弾装された例えば圧縮コイルばねとしてのプラグばね２８（図５参照）の弾力により、連結プラグ２６は第１及び第２連結板の接合部に跨がるようにして、第１連結板１９側のプラグ収納孔に向かって弾圧されている。
【００３９】
したがって、連結プラグ２６に外力が作用しない状態においては、連結プラグ２６を介して第１及び第２連結板１９、２２が円周方向において拘束され、鍵孔に合鍵を挿入してこれを例えば解錠方向に回すと、ジョイント１が内筒の回動を錠止部材に伝達してこれを解錠する。
【００４０】
これら第１及び第２連結板、並びに連結プラグ２６は、付番しない連結装置を構成する。
【００４１】
この連結装置を外部から制御するため、図２３に示すように、外側から見て、かつ時計盤面に換算して１０時半の角度位置における外筒１６の内周面に、断面が細長い矩形の第１案内溝２９が形成されている。
【００４２】
そして、この第１案内溝２９には、横断面形状が例えば細長い矩形で、図１５及び図１６に示すように長い棒状のスイッチバー３１が長さ方向に摺動可能に収納かつ案内されている。
【００４３】
このスイッチバー３１はその外端（図１５において左端）が少し内側になるように湾曲しており、常態において、すなわち通常の使用時においては、図１７に示すように、その外端をキーガイド２４の外周部で、時計盤面に換算して１０時半の角度位置に露呈させている。
【００４４】
また、スイッチバー３１の内端は、第１連結板１９を掠めるようにして、前記連結プラグ２６の第１連結板１９外に突出した（図１２参照）外端部に当接可能に臨ませている。
【００４５】
他方、上記したスイッチバー３１を制御するため、鍵違い変換時には、図１８乃至図２０に示すように、合鍵５の本体部基部に解除装置３２が装着される。
【００４６】
図示の実施例における解除装置３２は、合鍵５の基部と嵌まり合う細長い矩形の挿通孔を開口させた、全体の形状が厚板円盤状の保持ブロック３３と、この保持ブロック３３の外周部に円周方向に回動可能に嵌合する環状の解除リング３４とを有しており、この解除リング３４の合鍵の摘み方向から見て、かつ時計盤面に換算して１０時半の角度位置には、突起３５が合鍵の先端方向に向かって突設されている。
【００４７】
なお、図示の実施例における解除装置の保持ブロック３３内には、特に図２０に明らかなように、突起３５の角度位置を準安定的に保つクリック装置が内蔵されている。
【００４８】
しかしながら、保持ブロック３３と合鍵との結合は強固であるが、上記クリック装置を介しての保持ブロック３３と解除リング３４との係合の態様は強固ではなく、保持ブロック３３と解除リング３４とのクリック係合が外れれば、後者は前者の回りを独立に回動することができる。
【００４９】
一方、図２１及び図２２に示すように、支軸２の内端（図２１において右端）には短い作動アーム３６が垂設されており、この先端には第２連結板２２側に突出するガイドピン３７が一体的に植設されている。
【００５０】
上記のように構成された支軸２は、外端の偏芯軸３をキーガイド２４に、内端の偏芯軸を第１連結板１９の偏芯軸孔３８（図６及び図８参照）に外面側から嵌合させるようにして内筒に装着される。
【００５１】
なお、図６に示すように、第１連結板１９の外面側における偏芯軸孔３８の周囲には、作動アーム３６との干渉を避けるため凹部３９が、また、ガイドピン３７と干渉しないように円弧の一部をなす逃げ溝４１が夫々形成されている。
【００５２】
そして、上記逃げ溝４１を通って第１連結板１９の裏面から第２連結板２２方向に突出したガイドピン３７の先端部は、第２連結板２２の外面側に形成された誘導溝４２（図９参照）と係合している。
【００５３】
この誘導溝４２は、図９に示すように、円弧状で中心軸を見込む角度が約１３５度の第２案内溝４３と、この第２案内溝４３の先端（図９で下端）に連設され、ガイドピン３７を中心軸方向に誘導する第３案内溝４４とを有している。
【００５４】
また、図２３に示すように、鍵孔中心軸線に関し前記ロッキングバー１２と係合する公知のカム溝４５と対称的な角度位置における外筒内周面に、その母線に沿って、両側に傾斜面を有する作動溝４６が形成されている。
【００５５】
上記のように構成されたこの発明の一実施例による可変レバータンブラー錠は、常態においては連結プラグ２６が第１及び第２連結板１９、２２を一体に連結しているから、合鍵を挿入しての通常の施解錠操作時、ジョイント２１（図５参照）は内筒と一体的に回動する。
【００５６】
一方、鍵違いを変更するときには、図１８乃至図２０に示すように解除装置を装着した合鍵を鍵孔に挿入する。
【００５７】
すると、その突起３５がスイッチバー３１を内方に押動し、その内端が連結プラグ２６をジョイント２１方向に押動し、連結プラグ２６の外面が第１及び第２連結板１９、２２の接合面に整合する。
【００５８】
図２３はこの状態をキーガイド２４（図５参照）から見ており、このときには支軸のガイドピン３７は誘導溝４２の始端に位置している。
【００５９】
次いで合鍵を例えば時計方向（解錠方向とする）に回動させると、図２４に示すように、内筒４７も合鍵と一体に同方向に回動し、ロッキングバー１２がカム溝４５から脱して外筒１６の内周面に乗り上げ、内筒４７の回動角が１８０度近くになると、ガイドピン３７が第２及び第３案内溝４３、４４の接合部に入り込む。
【００６０】
同時に、図２５に示すように、ロッキングバー１２が作動溝４６に入り込み、支軸２が偏芯軸３の回りを回動する結果、タンブラーＢ１ＢがタンブラーＡ１Ａを残して半径方向外方に移動する。
【００６１】
すると、タンブラーＡ１Ａの前記係合突起９がそれまで嵌まり合っていた係合凹部１１から脱し、タンブラーＡ１Ａが自由になる。
【００６２】
そして、更に内筒４７が回動してその回動角度が１８０度になったとき、図２６に示すように、それまでの合鍵を抜く。前記したようにタンブラーＡ１Ａは自由に回動できる状態にあるから、上記合鍵の抜去は可能になる。
【００６３】
図２６に示す状態において鍵孔２３に新しい合鍵を挿入すると、タンブラーＡ１Ａは新たな鍵溝に対応する角度位置にまで回動され、係合突部９も新たな角度位置をとる。
【００６４】
それまでの合鍵を抜いたとき、スイッチバー３１及び連結プラグ２６（図１２及び図１５参照）も合鍵の突起３５から解放されるが、このときには連結プラグ２６の外面が第１連結板２９の平滑な裏面に当接するから、以後の内筒の回動に支障は無い。
【００６５】
しかる後新たな合鍵を回して内筒４８を反時計方向に回動させると、図２５及び図２６に示すように、ロッキングバー１２が作動溝４６を摺り上がって鍵孔軸線方向に移動する結果、タンブラーＢ１Ｂの係合凹部１１が新たな角度位置におけるタンブラーＡ１Ａと係合し、このようにして新たな鍵違いが得られる。
【００６６】
同時に、ガイドピン３７は、図２５及び図２４の係合状態を経て、図２３に示すように、誘導溝４２の始端に戻る。
【図面の簡単な説明】
【００６７】
【図１】従来の可変レバータンブラー錠の支持機構の一例を示す拡大横断面図。
【図２】スイッチ部材による支軸の駆動機構を示す拡大外観斜視図で、常態を示す。
【図３】図２と同様のスイッチ部材による支軸の駆動機構を示す拡大外観斜視図で、変換ピンによりスイッチ部材を駆動した状態を示す。
【図４】従来の可変レバータンブラー錠の一部断面側面図。
【図５】この発明の一実施例による可変レバータンブラー錠を縦断して示す側面図。
【図６】第１連結板の外面図。
【図７】第１連結板の断面図。
【図８】第１連結板の背面図。
【図９】第２連結板の外面図。
【図１０】第２連結板の断面図。
【図１１】第２連結板の背面図。
【図１２】第１連結板の背面図で、プラグ収納凹部に連結プラグを嵌め込んだ状態を示す。
【図１３】連結プラグの断面図。
【図１４】連結プラグの背面図。
【図１５】スイッチバーの側面図。
【図１６】スイッチバーの外面図。
【図１７】レバータンブラー錠の正面図。
【図１８】解除装置を装着した合鍵の平面図。
【図１９】解除装置を装着した合鍵の縦断側面図。
【図２０】解除装置を装着した合鍵の先端から見た正面図。
【図２１】支軸の縦断側面図。
【図２２】支軸の背面側の正面図。
【図２３】この発明の要部を示す図１と同様の可変レバータンブラー錠の拡大横断面図で、常態或いは鍵違い変換時の始めの状態を示す。
【図２４】この発明の要部を示す図１と同様の可変レバータンブラー錠の拡大横断面図で、鍵違い変換の為の内筒回動途中を示す。
【図２５】この発明の要部を示す図１と同様の可変レバータンブラー錠の拡大横断面図で、鍵違い変換の為の内筒回動の終端付近の状態を示す。
【図２６】この発明の要部を示す図１と同様の可変レバータンブラー錠の拡大横断面図で、内筒を１８０度回した後それまでの合鍵を抜いた状態を示す。
【符号の説明】
【００６８】
１  レバータンブラー
１Ａ  タンブラーＡ
１Ｂ  タンブラーＢ
２  支軸
３  偏芯軸
４  逃げ孔
５  合鍵
６  鍵溝
７  係合部
８  解錠切欠
９  係合突起
１１  係合凹部
１２  ロッキングバー
１３  変換ピン
１４  スイッチ部材
１５  大径鍔部
１６  外筒
１９  第１連結板
２１  ジョイント
２２  第２連結板
２３  鍵孔
２４  キーガイド
２５  プラグ収納凹部
２６  連結プラグ
２７  ばね孔
２８  プラグばね
２９  第１案内溝
３１  スイッチバー
３２  解除装置
３３  保持ブロック
３４  解除リング
３５  突起
３６  作動アーム
３７  ガイドピン
３８  偏芯軸孔
３９  凹部
４１  逃げ溝
４２  誘導溝
４３  第２案内溝
４４  第３案内溝
４５  カム溝
４６  作動溝
４７  内筒
【図１】
2006118173.tif 000003
【図２】
2006118173.tif 000004
【図３】
2006118173.tif 000005
【図４】
2006118173.tif 000006
【図５】
2006118173.tif 000007
【図６】
2006118173.tif 000008
【図７】
2006118173.tif 000009
【図８】
2006118173.tif 000010
【図９】
2006118173.tif 000011
【図１０】
2006118173.tif 000012
【図１１】
2006118173.tif 000013
【図１２】
2006118173.tif 000014
【図１３】
2006118173.tif 000015
【図１４】
2006118173.tif 000016
【図１５】
2006118173.tif 000017
【図１６】
2006118173.tif 000018
【図１７】
2006118173.tif 000019
【図１８】
2006118173.tif 000020
【図１９】
2006118173.tif 000021
【図２０】
2006118173.tif 000022
【図２１】
2006118173.tif 000023
【図２２】
2006118173.tif 000024
【図２３】
2006118173.tif 000025
【図２４】
2006118173.tif 000026
【図２５】
2006118173.tif 000027
【図２６】
2006118173.tif 000028